(57)【要約】【課題】浴室全体、特に洗い場を素早くしかも効率良く乾燥させるシステムの構築を目的とすする。【解決手段】浴室５に吸気口９と排気口７とを備え、前記吸気口９に吸気ファン１０を設け、前記吸気ファン１０を浴室５の下方部に設置し、前記吸気ファンを運転することで空気を浴室内に取り込むことにより、浴室内の特に水分が多く存在する洗い場を含む下方部を素早く乾燥することが可能となる。【選択図】図１
2006002992.tif 000002
【特許請求の範囲】
【請求項１】
浴室に吸気口と排気口とを備え、前記吸気口に吸気ファンを設け、前記吸気ファンを浴室の下方部に設置し、前記吸気ファンを運転することで空気を浴室内に取り込む浴室乾燥システム。
【請求項２】
浴室に吸気口と排気口とを備え、前記吸気口に除湿手段を有する吸気ファンを設け、前記吸気ファンを運転することで除湿した空気を浴室内に取り込む浴室乾燥システム。
【請求項３】
前記吸気ファンの吹出し方向を浴室の洗い場方向とする請求項１または２に記載の浴室乾燥システム。
【請求項４】
前記排気口に換気扇を設置した請求項１〜３のいずれか１項に記載の浴室乾燥システム。
【請求項５】
前記換気扇を浴室外に排気させる排気部と浴室内に吹き出して循環させる循環部とを備えた循環型換気扇とする請求項４に記載の浴室乾燥システム。
【請求項６】
前記除湿手段を乾燥剤とする請求項２〜５記載の浴室乾燥システム。
【請求項７】
前記除湿手段を加熱手段とする請求項２〜５記載の浴室乾燥システム。
【請求項８】
浴室の洗い場に加熱手段を設けた請求項１〜７記載の浴室乾燥システム。
【発明の詳細な説明】
【技術分野】
【０００１】
本発明は吸気ファンを利用した浴室乾燥システムに関するものである。
【背景技術】
【０００２】
従来、この種の浴室乾燥システムは、浴室に換気扇を設置し換気扇を作動することでドアの吸気口より浴室外の空気を浴室内部に取り込んでいる。
【０００３】
図４は、従来の浴室乾燥システムを示すものである。図４において、１は浴室、２は換気扇、３はドア、４は吸気口である。
【特許文献１】特開平８−１５８６７１号公報
【発明の開示】
【発明が解決しようとする課題】
【０００４】
しかしながら、前記従来の構成では、ドア吸気口から吸い込んだ空気が天井に設置した換気扇から排気されることで、洗い場面には風が当たりにくく、結果として、水分が多く存在する洗い場の乾きが悪いという課題を有していた。
【０００５】
本発明は、前記従来の課題を解決するもので、浴室全体、特に洗い場を素早く、しかも効率良く乾燥させるシステムを構築するとした浴室乾燥システムを提供することを目的とする。
【課題を解決するための手段】
【０００６】
前記従来の課題を解決するために、本発明の浴室乾燥システムは、浴室に吸気口と排気口とを備え、前記吸気口に吸気ファンを設け、前記吸気ファンを浴室の下方部に設置し、前記吸気ファンを運転することで、乾燥した空気を浴室内の下部に取り込む浴室乾燥システムとしたものである。
【０００７】
これによって、浴室の下方部に設置した吸気ファンを運転することで、浴室内の特に水分が多く存在する下方部を素早く乾燥させることが可能となる。
【発明の効果】
【０００８】
以上のように、請求項１から８のいずれか一項記載の発明によれば、浴室全体特に洗い場を素早く乾燥することができる。
【発明を実施するための最良の形態】
【０００９】
第１の発明は浴室に吸気口と排気口とを備え、前記吸気口に吸気ファンを設け、前記吸気ファンを浴室の下方部に設置し、前記吸気ファンを運転することで空気を浴室内に取り込む構成とすることにより、浴室内の下方部から乾燥した空気を取り込み、浴室内の湿気を含んだ空気を排気口から浴室外へ排気することとなり、浴室全体、特に水分が多く存在する洗い場を素早く乾燥させることができる。
【００１０】
第２の発明は浴室に吸気口と排気口とを備え、前記吸気口に除湿手段を有する吸気ファンを設け、前記吸気ファンを運転することで除湿した空気を浴室内に取り込む構成とすることにより、除湿された空気を浴室内に取り込み、浴室内の湿気を含んだ空気を排気口から浴室外へ排気するとなり、浴室全体、特に水分が多く存在する洗い場を素早く、しかも効率良く乾燥させることができる。
【００１１】
第３の発明は、特に、第１または第２の発明の吸気ファンの吹出し方向を浴室の洗い場方向とするとすることにより、吸気ファンを運転することで、吸い込んだ空気が洗い場面に当たることとなり、特に洗い場を素早くしかも効率良く乾燥させることができる。
【００１２】
第４の発明は、特に、第１〜３のいずれか１つの発明の排気口に換気扇を設置することにより、吸気ファンと換気扇を連動して作動させることにより、浴室内の空気の流れをよりよくすることができ、洗い場に加え、浴室全体を素早く、しかも効率良く乾燥させることができる。
【００１３】
第５の発明は、特に、第４の発明の換気扇を浴室外に排気させる排気部と浴室内に吹き出して循環させる循環部とを備えた循環型換気扇とすることにより、換気扇で吸い込んだ空気の一部を排気部を通して浴室外へ排気させ、残りの空気を循環部を通して浴室内部へ吹き出し循環させることで、浴室内を循環する空気の量を増やすことができ、浴室全体、特に浴室の隅部を素早く、しかも効率よく乾燥させることができる。
【００１４】
第６の発明は、特に、第２〜５のいずれか１つの発明の除湿手段を乾燥剤とすることにより、乾燥剤を空気が通過することにより、除湿した空気をつくりだし、浴室内部へ除湿した空気を取り込むこととなり、浴室内をより素早く乾燥することができ、しかも乾燥剤を入れ変えることで容易にメンテが可能になり、除湿性能を維持することができる。
【００１５】
第７の発明は、特に、第２〜５のいずれか１つの発明の除湿手段を加熱手段とするとすることにより、加熱手段を通過した空気は暖められ、浴室内部へ暖かい乾燥した空気を取り込むこととなり、暖かい空気により浴室内の暖房と乾燥が同時に可能となる。
【００１６】
第８の発明は、第１〜７のいずれか１つの発明における浴室の洗い場に加熱手段を設けたることにより、洗い場の加熱手段を運転することで洗い場の温度を上昇させるとともに浴室全体を暖房することとなり、浴室全体、特に洗い場を素早くしかも効率良く乾燥させることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における浴室乾燥システムの断面図を示すものである。
【００１９】
図１において、浴室５の天井６に屋外にダクトを介して連通する排気口７を設置し、浴室５の入口に開閉自在に設けたドア８の下方部には、浴室内外を連通する吸気口９が設置してあり、吸気口９には吸気ファン１０を設置する構成にしている。
【００２０】
以上のように構成された浴室乾燥システムについて、以下その動作、作用を説明する。
【００２１】
まず、吸気ファン１０を作動することで浴室外の乾燥した空気がドア８の吸気口９を通り浴室５の中に取り込まれ、浴室５の下方から上方へと空気が流れるときに浴室５の中の水分を含み、排気口７から湿気を含んだ空気として浴室外へ排気される。
【００２２】
以上のように、本実施の形態においては乾燥した空気が浴室５の下方から上方に向かって空気が流れるため、浴室全体特に洗い場を素早く乾燥させることができる。
【００２３】
なお、本実施の形態では吸気ファン１０をドア８の吸気口９に設置し、排気口７を天井６に設置するとしたが、浴室の中央部より下であれば、浴室５の壁の下方部に吸気口９を設け吸気ファン１０を設置してもよく、また排気口７は浴室の中央部より上部の壁に設置する構成としてもよい。
【００２４】
（実施の形態２）
図２は、本発明の第２の実施の形態における浴室乾燥システムの断面図を示すものである。
【００２５】
図２において、浴室５の天井６に換気扇１１を設置し、ドア８の下方部にある吸気口９に吸気ファン１０とその外側にホルダー１２の中に入った除湿手段としての乾燥剤１３を設置している。吸気ファン１０は洗い場１４に空気が直接当たる向きに調整して設置し、洗い場１４の内部には加熱手段としての電気ヒータ１５を設置し、吸気ファン１０、換気扇１１、電気ヒータ１５をそれぞれ単独、あるいは前記２機能または３機能を連動して作動できる構成にしている。
【００２６】
以上のように構成された浴室乾燥システムについて、以下その動作、作用を説明する。
【００２７】
まず、吸気ファン１０と換気扇１１を作動することで浴室外の空気が乾燥剤１３を通過する際に除湿され、除湿された空気が浴室５の中に取り込まれ、洗い場１４の表面に当たったあと、浴室５の下方から上方へと空気が流れるときに浴室５の中の水分を含み、天井６に設置した換気扇１１により浴室外へ排気される。
【００２８】
以上のように、本実施の形態においては浴室内に吸い込まれる空気が常に乾燥剤１３によって除湿され、その除湿された空気を洗い場１４面に当てた後、浴室５の隅々まで空気が行渡り、排気するため、浴室全体、特に洗い場を素早くしかも効率良く乾燥させることができる。
【００２９】
また、吸気ファン１０と換気扇１１を作動中に、電気ヒータ１５を同時に作動させることにより、浴室内で一番水分が多い洗い場１４を素早く効果的に乾燥させることができるとともに、電気ヒータ１５から発生した熱は浴室全体の温度を上昇させることとなり、洗い場に加え、浴室全体を素早く乾燥させることができる。
【００３０】
また、本実施の形態の乾燥剤１３の代わりに除湿手段としての電気ヒータを設置することにより、浴室内部へ取り込む空気を暖房することで浴室内の暖房と乾燥を同時に行なうことが可能となり、洗い場を素早くしかも効率良く乾燥させることができ、浴室の寒さを解消させることができる。
【００３１】
なお、本実施の形態における換気扇として、  図３示すような循環型換気扇１６を設置することもできる。循環型換気扇１６には換気扇吸気口１９と循環部としての換気扇循環吹出口２１を設けたルーバー１８と換気扇ファン１７と排気部としての換気扇排気口２０を備えており、浴室５の天井６設置した循環型換気扇１６の換気扇ファン１７を駆動させると、ルーバー１８に設けた換気扇吸気口１９から空気が吸い込まれ、吸い込まれた空気の一部がルーバー１８に設けた換気扇循環吹出口２１から浴室内へ吹き出され、残りが換気扇排気口２０から浴室外へ排気される。
【００３２】
以上のように、循環型換気扇を使用すると、浴室内を循環する空気の量が増加するため、浴室の隅々まで空気を送れるため、浴室全体を素早くしかも効率良く乾燥させることができる。
【産業上の利用可能性】
【００３３】
以上のように、本発明にかかる浴室乾燥システムは浴室内部全体を素早くしかも効率良く乾燥させることが可能となるため、洗面空間、脱衣室空間、トイレ空間の乾燥等の用途にも適用できる。
【図面の簡単な説明】
【００３４】
【図１】本発明の実施の形態１における浴室乾燥システムの断面図
【図２】本発明の実施の形態２における浴室乾燥システムの断面図
【図３】本発明の実施の形態２における別の換気扇の断面図
【図４】従来の浴室乾燥システムの断面図
【符号の説明】
【００３５】
５  浴室
７  排気口
９  吸気口
１０  吸気ファン
１１  換気扇
１３  乾燥剤（除湿手段）
１４  洗い場
１５  電気ヒータ（加熱手段）
【図１】
2006002992.tif 000003
【図２】
2006002992.tif 000004
【図３】
2006002992.tif 000005
【図４】
2006002992.tif 000006